(57)【要約】      （修正有）【課題】種々の衣服に使用でき、夜間には自動車や自転車のライトを反射して、運転者や歩行者による視認性が高く、安全確保に役立つ光反射ボタンを提供する。【解決手段】表面に凹入部２を有するボタン基材３において凹入部の内部に、再帰性反射層４と、その表面を覆う透明な保護層５を凹入部の底面からこの順に形成し、保護層の表面からボタン基材の裏面にわたって貫通する複数個の縫糸用の小孔６を設ける。【選択図】図２
0003186470.tif 000002
【実用新案登録請求の範囲】
【請求項１】
表面に凹入部を有するボタン基材における前記凹入部の内部に、再帰性反射層と、その
表面を覆う透明な保護層とが凹入部の底面からこの順に形成され、保護層の表面からボタ
ン基材の裏面にわたって貫通する複数個の縫糸用の小孔が形成されて成る光反射ボタン。
【請求項２】
表面に円形の凹入部を有する不透明な合成樹脂製の円形のボタン基材における前記凹入
部の内部に、再帰性反射層と、その表面を覆う透明な合成樹脂製の保護層とが凹入部の底
面からこの順に形成され、保護層の表面からボタン基材の裏面にわたって貫通する複数個
の縫糸用の小孔が形成されて成る光反射ボタン。
【考案の詳細な説明】
【技術分野】
【０００１】
本考案は、例えば、ブラウス、ワイシャツ、スポーツシャツ、アロハシャツ、スカート
、スラックスなど、種々の衣服に糸で縫い付けて使用される糸付けボタンに関する。
【背景技術】
【０００２】
一般に、自動車のライトなどの光が当たると反射する再帰性反射シートは、特許文献１
に見られるように、夜間の交通整理等に従事する作業員が着衣するチョッキのような安全
着衣として用いられており、具体的には、安全着衣の前装部と後装部を再帰性反射シート
で作製したり、帯状の再帰性反射シートを下方に行くほど左右対向間隔が狭くなるＶ字状
に対設したＶ字反射部や腰周りに配置したベルトとして作製されている。
【０００３】
しかしながら、これらは、夜間の交通整理等に従事する作業員が着用する特殊な安全着
衣に付いての使用形態であり、外観上、一般人の衣服には適していない。
【０００４】
尚、受け皿状の形を持つボタン基材の凸側表面に、再帰性反射シートを重ね、再帰性反
射シートの外周を止め金具で押えることにより、再帰性反射シートをボタン基材と止め金
具の間に挟み込み、再帰性反射シートでボタン基材を被覆した光反射ボタンも特許文献２
によって提案されている。
【０００５】
しかしながら、この光反射ボタンは、言わば、くるみボタン（金属を芯にして革や布な
どの化粧外皮でくるんだ足つきボタン）の化粧外皮として、再帰性反射シートを使用した
足つきボタンであるため、用途が狭く、防寒衣、雨具などのボタンとして利用できても、
ブラウス、ワイシャツ、スポーツシャツ、アロハシャツ、スカート、スラックスなど、種
々の衣服に使用できる汎用性を有していない。
【先行技術文献】
【特許文献】
【０００６】
【特許文献１】実用新案登録第３０９４７４１号公報
【特許文献２】実開昭６２−６３００６号公報
【考案の概要】
【考案が解決しようとする課題】
【０００７】
本考案は、上記の問題点を踏まえて成されたものであって、その目的とするところは、
外観上、一般的な穴ありの糸付けボタンと変わりがないため、ブラウス、ワイシャツ、ス
ポーツシャツ、アロハシャツ、スカート、スラックスなど、種々の衣服に使用できる汎用
性を有し、それでいて、夜間には、自動車や自転車のライトなどの光が当たると反射して
、運転者や歩行者による視認性が高く、夜間の歩行時の安全確保にも役立つ光反射ボタン
を提供することにある。
【課題を解決するための手段】
【０００８】
上記の目的を達成するために本考案が講じた技術的手段は、次の通りである。即ち、請
求項１に係る考案の光反射ボタンは、表面に凹入部を有するボタン基材における前記凹入
部の内部に、再帰性反射層と、その表面を覆う透明な保護層とが凹入部の底面からこの順
に形成され、保護層の表面からボタン基材の裏面にわたって貫通する複数個の縫糸用の小
孔が形成されて成るものである。
【０００９】
請求項２に係る考案の光反射ボタンは、表面に円形の凹入部を有する不透明な合成樹脂
製の円形のボタン基材における前記凹入部の内部に、再帰性反射層と、その表面を覆う透
明な合成樹脂製の保護層とが凹入部の底面からこの順に形成され、保護層の表面からボタ
ン基材の裏面にわたって貫通する複数個の縫糸用の小孔が形成されて成るものである。
【考案の効果】
【００１０】
本考案によれば、保護層の表面からボタン基材の裏面にわたって貫通する複数個の縫糸
用の小孔が形成された光反射ボタンであり、外観上、一般的な穴ありの糸付けボタンと変
わりがないため、ブラウス、ワイシャツ、スポーツシャツ、アロハシャツ、スカート、ス
ラックスなど、種々の衣服に使用できる汎用性を有し、それでいて、夜間には、自動車や
自転車のライトなどの光が当たると反射して、運転者や歩行者による視認性が高く、夜間
の歩行時の安全確保にも役立つ効果がある。
【００１１】
しかも、再帰性反射層の表面が透明な保護層で覆われているので、他物との接触による
再帰性反射層の損傷を防止でき、光反射ボタンとしての機能を長期間維持できる効果があ
る。
【図面の簡単な説明】
【００１２】
【図１】本考案に係る光反射ボタンの正面図である。
【図２】図１のＡ−Ａ断面図である。
【図３】光反射ボタンの製造方法を説明する図である。
【図４】光反射ボタンの原理を説明する図である。
【図５】本考案に係る光反射ボタンの効果を説明する図である。
【図６】本考案の他の実施形態を示す光反射ボタンの正面図である。
【図７】図６のＢ−Ｂ断面図である。
【図８】本考案の他の実施形態を示す光反射ボタンの断面図である。
【考案を実施するための形態】
【００１３】
以下、本考案の実施形態を図面に基づいて説明する。図１、図２は、本考案に係る光反
射ボタン１の一例を示す。この光反射ボタン１は、表面に円形の凹入部２を有する不透明
な合成樹脂製の円形のボタン基材３における前記凹入部２の内部に、再帰性反射層４と、
その表面を覆う透明な合成樹脂製の保護層５とが凹入部２の底面からこの順に形成され、
保護層５の表面からボタン基材３の裏面にわたって貫通する２個の縫糸用の小孔６が形成
されて成るものである。
【００１４】
この光反射ボタン１は、次の方法によって製造することができる。即ち、図３の（Ａ）
に示すように、表面に円形の凹入部２が形成された円形のボタン基材３を合成樹脂の射出
成形法等により作製する。
【００１５】
次に、図３の（Ｂ）に示すように、凹入部２の内部に再帰性反射層４を形成する。再帰
性反射層４の形成は、既製の再帰性反射シートを所定寸法に裁断して凹入部２に嵌め込む
ことによって行ってもよく、微小なガラスビーズが練り込まれた再帰性反射インキを凹入
部２に塗布することによって行ってもよい。
【００１６】
しかる後、図３の（Ｃ）に示すように、再帰性反射層４の上から透明な合成樹脂で凹入
部２を埋め、再帰性反射層４を覆う保護層５を形成する。次いで、保護層５の表面からボ
タン基材３の裏面にわたって貫通する２個の縫糸用の小孔６を穿設して、図１、図２に示
した光反射ボタン１を得るのである。
【００１７】
上記の光反射ボタン１は、保護層５の表面からボタン基材３の裏面にわたって貫通する
複数個の縫糸用の小孔６が形成された光反射ボタンであり、外観上、一般的な穴ありの糸
付けボタンと変わりがないため、ブラウス、ワイシャツ、スポーツシャツ、アロハシャツ
、スカート、スラックスなど、種々の衣服に使用できる汎用性を有する。
【００１８】
それでいて、図４に示すように、光源７からの光を、光源７の方向に反射させる再帰性
反射の機能を有するので、図５に示すように、ブラウス等のボタンとして使用しても、夜
間には、自動車や自転車のライトなどの光が当たると反射することになり、運転者や歩行
者による視認性が高く、夜間の歩行時の安全確保にも役立つ効果がある。
【００１９】
また、再帰性反射層４の表面が透明な保護層５で覆われているので、他物との接触によ
る再帰性反射層４の損傷を防止でき、光反射ボタン１としての機能を長期間維持できるこ
とになる。
【００２０】
図６、図７は、本考案の他の実施形態を示し、保護層５の上端をボタン基材３の外周部
より低くした点に特徴がある。この構成によれば、光反射ボタン１を衣服に縫い付ける縫
糸がボタン基材３の上方に突出せず、縫糸のほつれ防止に効果がある。尚、図示の例では
縫糸用の小孔６が４個形成されているが、小孔６は２個でもよく、３個でもよい。その他
の構成、作用は、先の実施形態と同じであるため、説明を省略する。
図８の（Ａ）、（Ｂ）、（Ｃ）は、各々、本考案の他の実施形態を示す。図８の（Ａ）
に示す実施形態は、保護層５の中央部に縫糸用の小孔６と連通する横溝８を形成した点に
特徴がある。この構成によれば、光反射ボタン１を衣服に縫い付ける縫糸を横溝８に納め
ることができ、縫糸のほつれ防止に効果がある。保護層５の表面は、図８の（Ａ）に示す
ように、ボタン基材３の外周部より上方へ突出した凸曲面、図８の（Ｂ）に示すような平
面、図８の（Ｃ）に示すように、ボタン基材３の外周部より下方へ入り込んだ凹曲面の何
れであってもよい。
【符号の説明】
【００２１】
１  光反射ボタン
２  凹入部
３  ボタン基材
４  再帰性反射層
５  保護層
６  縫糸用の小孔
７  光源
８  横溝
【図１】
0003186470.tif 000003
【図２】
0003186470.tif 000004
【図３】
0003186470.tif 000005
【図４】
0003186470.tif 000006
【図５】
0003186470.tif 000007
【図６】
0003186470.tif 000008
【図７】
0003186470.tif 000009
【図８】
0003186470.tif 000010